(57)【要約】【課題】プル型のバナー広告やプッシュ型のスパムメール広告等の場合に比べてより効果的な広告システムを提供する。【解決手段】広告システムに使用されるサーバ装置１は、電子メールデータ等を記憶する記憶部材５６と、広告データがアドレスに対応付けて記憶される広告データベース６２と、受信手段（６６など）と、送信元のアドレスを抽出する抽出手段（６７など）と、抽出されたアドレスと広告データベース６２中のアドレスとを比較し、一致したアドレスに対応付けられた広告データを、広告データベース６２から読み込む読込手段（６７など）と、広告データを割り付けた広告付き返信電子メールを生成する生成手段（６７など）と、広告付き返信電子メールを送信元アドレスへ送信する送信手段（６８など）と、を備えている。【選択図】  図１
2004287880.tif 000002
【特許請求の範囲】
【請求項１】
画像データを受信した旨のメッセージが割り付けられた電子メールデータを記憶する記憶部材と、
広告データがアドレスに対応付けて記憶される広告データベースと、
画像データ付き電子メールを受信する受信手段と、
上記画像データ付き電子メールから送信元のアドレスを抽出する抽出手段と、上記抽出されたアドレスと上記広告データベース中の上記アドレスとを比較し、一致したアドレスに対応付けられた広告データを、上記広告データベースから読み込む読込手段と、
上記読み込んだ広告データを割り付けた広告付き返信電子メールを生成する生成手段と、
上記広告付き返信電子メールを、上記画像データ付き電子メールの送信元アドレスへ送信する送信手段と、を備えることを特徴とするアペンディクス型広告用のサーバ装置。
【請求項２】
前記広告付き返信電子メール中の広告データには、広告主の広告用のホームページのＵＲＬまたは広告主の広告がその一部に表示されるホームページのＵＲＬが含まれていることを特徴とする請求項１記載のアペンディクス型広告用のサーバ装置。
【請求項３】
前記電子メールデータには、サイトで提供するサービスページへのリンクが割り付けられていることを特徴とする請求項１または２記載のアペンディクス型広告用のサーバ装置。
【請求項４】
リンク先となる前記サービスページには、当該サービスページで提供するサービス名が文字列あるいは画像として含まれていることを特徴とする請求項３記載のアペンディクス型広告用のサーバ装置。
【請求項５】
前記読込手段は、前記抽出されたアドレスが前記広告データベース中に見つからない場合には、前記広告データベースに記憶されている他の広告データを読み込むことを特徴とする請求項１から４のいずれか１項記載のアペンディクス型広告用のサーバ装置。
【請求項６】
前記送信元から送信されてきた画像データが割り付けられたホームページデータを生成するホームページデータ生成手段と、前記ホームページデータを記憶する記憶部材と、を備え、
前記返信メールには、上記ホームページを作成するためのサービスページへのリンクが割り付けられていることを特徴とする請求項１から５のいずれか１項記載のアペンディクス型広告用のサーバ装置。
【請求項７】
前記画像データ付き電子メールにテキストデータが含まれ、上記テキストデータを、前記送信元ユーザ用のホームページに割り付けられる画像用のコメントとすることを特徴とする請求項６記載のアペンディクス型広告用のサーバ装置。
【請求項８】
前記送信元から送信されてきた画像データをプリントアウトするためのプリンタを備え、
前記広告付き返信電子メールには、上記画像データをプリントアウトするためのサービスページへのリンクが割り付けられていることを特徴とする請求項１から７のいずれか１項記載のアペンディクス型広告用のサーバ装置。
【請求項９】
前記プリントアウトを、葉書の裏面もしくは表面への印刷としたことを特徴とする請求項８記載のアペンディクス型広告用のサーバ装置。
【請求項１０】
前記葉書への印刷を行うことが可能なサービスページに、当該印刷がなされた葉書の送信先を、さらに印刷するためのサービスページへのリンクが割り付けられていることを特徴とする請求項９記載のアペンディクス型広告用のサーバ装置。
【請求項１１】
請求項１から１０の中のいずれか１項記載のアペンディクス型広告用のサーバ装置と、
画像データ付き電子メールを送信することができるとともに、上記アペンディクス型広告用のサーバ装置からの広告付き返信電子メールを受信し、それを表示することができる携帯端末と、
上記サーバ装置と上記携帯端末とを接続する通信ネットワークと、を備えることを特徴とするアペンディクス型広告システム。
【請求項１２】
請求項１から１０の中のいずれか１項記載のアペンディクス型広告用のサーバ装置と、
画像データ付き電子メールを送信することができるとともに、上記アペンディクス型広告用のサーバ装置からの広告付き返信電子メールを受信してこれを表示し、かつその広告付き返信電子メールに割り付けられたリンクを操作して、リンク先のウェブページを表示することができる携帯端末と、
上記サーバ装置と上記携帯端末とを接続する通信ネットワークと、を備えることを特徴とするアペンディクス型広告システム。
【請求項１３】
画像データを受信した旨のメッセージが割り付けられた電子メールデータと、広告データがアドレスに対応付けて記憶される広告データベースと、を保存する記憶部材を備えたコンピュータに、
画像データ付き電子メールを受信する受信手段と、
上記画像データ付き電子メールから送信元のアドレスを抽出する抽出手段と、上記抽出されたアドレスと上記広告データベース中の上記アドレスとを比較し、一致したアドレスに対応付けられた広告データを、上記広告データベースから読み込む読込手段と、
上記読み込んだ広告データを割り付けた広告付き返信電子メールを生成する生成手段と、
上記広告付き返信メールを、上記画像データ付き電子メールの送信元アドレスへ送信する送信手段と、を実現するためのコンピュータ読取可能なプログラム。
【発明の詳細な説明】
【０００１】
【発明の属する技術分野】
本発明は、一般ユーザに、広告情報が表示された電子メールを送信するアペンディクス型広告用のサーバ装置、アペンディクス型広告システムおよびコンピュータ読取可能なプログラムに関する。
【０００２】
【従来の技術】
特許文献１には、アクセスするホームページ画面上に、バナー広告を割り当てるホームページ管理システムが記載されている。また、バナー広告とともに、ゲームソフトを割り当て、そのゲームソフトの魅力でホームページの利用価値を高めている。
【０００３】
【特許文献１】
特開２００２−３５１７７０号  （図１など）
【０００４】
【発明が解決しようとする課題】
従来の広告配信システムでは、ホームページなどのウェブページに、バナー広告を割り当てている。これにより、そのウェブページにアクセスしたクライアント端末のモニタには、バナー広告が表示される。
【０００５】
しかしながら、このようなバナー広告は、ウェブページのほんの一部に設けられる。あくまでも、ウェブページのメインは、ウェブページ自体が提供する情報である。そのため、ユーザは、ウェブページを見たとしても、バナー広告を見ない可能性が高い。
【０００６】
バナー広告のサイズは基本的に小さい。ウェブページの表示領域に比べると、大きくてもその１／１０程度である。そのため、少しでも多くの情報を載せようとして、サイトのＵＲＬや、そのサイトで提供するサービスの内容などを画像化したものが利用される。
【０００７】
バナー広告は、広告主が、自分のウェブページを持っていることが前提となる。そして、そのウェブページにおいて、商品やサービスを販売することになる。そのため、ユーザは、バナー広告を見てその内容に興味を示したとしても、バナー広告を操作した後、更に、広告主のウェブページを閲覧しなければ、商品やサービスを購入することができない。つまり、商品やサービスを購入するまでの手間や時間がかかってしまうため、なかなか商品やサービスの購入には結びつかない。特に、広告主のウェブページがあまり魅力的なものではない場合には、商品やサービスの購入に結びつく可能性は、非常に低くなってしまう。
【０００８】
さらに、このようにバナー広告は、広告主にとって、その広告効果が見え難い。そのため、ウェブページを提供するサイト運営者は、バナー広告を、クリック回数に応じて課金するパービュー課金としている。パービュー課金にて広告をする場合には、サイトへアクセスするユーザ数が多いことが重要になる。ユーザを確保するためには、たとえば大きなホームページ作成などのフリーサービスを提供するために、多くのサーバ装置を事前に準備する必要がある。その結果、サイト運営のための投資額が大きくなる。また、資金回収が難しくなる。
【０００９】
また、ユーザが会員登録する際に電子メールのアドレスを入力させることで、その後、そのユーザに対して広告や情報を送りつけるプッシュ型の広告方法があるが、各ユーザとしては、その広告がわずらわしく、その電子メールを受信すると直に削除してしまうこととなっている。これでは、十分な広告効果が発生しない。さらに、新聞チラシなどにＵＲＬを記載したりするプル方の広告は、上述したバナー広告で述べたように、ユーザをじっと待つタイプであるため、その広告効果が低い。
【００１０】
本発明は、以上のようなバナー広告によるサイト運営の難しさに鑑みなされたものであり、従来のプッシュ型の広告やプル型の広告とは全く異なる発想に基づく、付随型または添付型（アペンディクス型）と呼べる新しい広告手法を提供するものである。すなわち、プル型のバナー広告やプッシュ型のスパムメール広告等の場合に比べて、高い広告効果を期待することができるアペンディクス型広告用のサーバ装置、アペンディクス型広告システムおよびコンピュータ読取可能なプログラムを提供することを目的とする。
【００１１】
【課題を解決するための手段】
本発明に係るサーバ装置は、画像データを受信した旨のメッセージが割り付けられた電子メールデータを記憶する記憶部材と、広告データがアドレスに対応付けて記憶される広告データベースと、画像データ付き電子メールを受信する受信手段と、画像データ付き電子メールから送信元のアドレスを抽出する抽出手段と、抽出されたアドレスと広告データベース中のアドレスとを比較し、一致したアドレスに対応付けられた広告データを、広告データベースから読み込む読込手段と、読み込んだ広告データを割り付けた広告付き返信電子メールを生成する生成手段と、広告付き返信電子メールを、画像データ付き電子メールの送信元アドレスへ送信する送信手段と、を備えることを特徴としている。
【００１２】
この発明によれば、アペンディクス型広告用のサーバ装置は、画像データ付き電子メールの送信元に対して、画像データを受信した旨のメッセージと共に、広告データが割り付けられた広告付き返信電子メールを送信することができる。これにより、端末を利用して画像データ付き電子メールを、所定のアドレスへ送信した一般ユーザに対して、スポット広告を行い、広告内容のすりこみ効果を期待することができる。これにより、自分が運営する販売サイトのバナー広告が散発的に表示される場合等、従来のプル型やプッシュ型の広告に比べて、高い広告効果を期待することができる。
【００１３】
それゆえ、インターネットなどの通信ネットワークにおいて、多種多様なサービスが既に提供されている状況下であっても、低リスクで新規に参入し、サイトを運営することができる。また、広告主は、効果的な広告を利用者に対して閲覧に供することができる。
【００１４】
また、他の発明は、上述の各アペンディクス型広告用のサーバ装置において、広告付き返信電子メール中の広告データには、広告主の広告用のホームページのＵＲＬまたは広告主の広告がその一部に表示されるホームページのＵＲＬが含まれていることを特徴としている。
【００１５】
この発明によれば、アペンディクス型広告用のサーバ装置は、画像データ付き電子メールの送信元に対して、画像データを受信した旨のメッセージと共に、広告主の広告付きホームページへのリンクが割り付けられた広告付き返信電子メールを送信することができる。これにより、端末を利用して画像データ付き電子メールを、所定のアドレスへ送信した一般ユーザに対して、スポット広告を行い、広告内容のすりこみ効果を期待することができる。これにより、自分が運営する販売サイトのバナー広告が散発的に表示される場合等、従来のプル型やプッシュ型の広告に比べて、高い広告効果を期待することができる。
【００１６】
また、他の発明は、上述の各アペンディクス型広告用のサーバ装置において、電子メールデータには、サイトで提供するサービスページへのリンクが割り付けられていることを特徴としている。
【００１７】
この発明によれば、広告付き返信電子メールには、サービスページで提供するサービスへのリンクが割り付けられている。そのため、画像データをサーバ装置へ保存させ、さらにサイトで提供するサービスを受けるというメリットと引き換えに、普段、ほとんどバナー広告をクリックしないユーザに対して、広告を閲覧してもらうことができる。
【００１８】
加えて、広告付き返信電子メールを受け取ったユーザは、サイトで提供するサービスページへ、容易にたどり着くことができる。なお、ここでいうサービスページとは、例えば、送信した画像データが割り付けられたホームページを作成することが可能なページ、広告枠を提供してもらうサービスを受けることが可能なページ、または、送信した画像データを写真印刷または葉書印刷することが可能なページなどである。
【００１９】
また、他の発明は、上述のアペンディクス型広告用のサーバ装置において、リンク先となるサービスページには、当該サービスページで提供するサービス名が文字列あるいは画像として含まれていることを特徴としている。
【００２０】
この発明によれば、広告データが電子メールデータに割り付けられた広告付き返信電子メールを受け取ったユーザやログインページにアクセスしたユーザが、リンク先となるサービスページにおいて、容易にサービスを要求することができる。
【００２１】
また、他の発明は、上述の各アペンディクス型広告用のサーバ装置において、読込手段は、抽出されたアドレスが広告データベース中に見つからない場合には、広告データベースに記憶されている他の広告データを読み込むことを特徴としている。
【００２２】
この発明によれば、広告主が開拓した一般ユーザに対して、他の広告を提供することができる。広告主が広告データを削除した場合には、画像データ付き電子メールを送信してきた一般ユーザに対して、他の広告およびサービスページへのリンクを提供し続けることができる。
【００２３】
また、他の発明は、上述の各アペンディクス型広告用のサーバ装置において、送信元から送信されてきた画像データが割り付けられたホームページデータを生成するホームページデータ生成手段と、ホームページデータを記憶する記憶部材と、を備え、返信メールには、ホームページを作成するためのサービスページへのリンクが割り付けられていることを特徴としている。
【００２４】
上述の発明によれば、広告付き返信電子メールを受け取ったユーザが、自身の送信した画像データを利用してホームページを作成することができる。
【００２５】
また、他の発明は、上述のアペンディクス型広告用のサーバ装置において、画像データ付き電子メールにテキストデータが含まれ、テキストデータを、ホームページに割り付けられる画像用のコメントとすることを特徴としている。
【００２６】
上述の発明によれば、ユーザがホームページを作成する際、画像だけでなく、その画像に対するコメントを作成することができ、利便性がさらに向上する。
【００２７】
また、他の発明は、上述の各アペンディクス型広告用のサーバ装置において、送信元から送信されてきた画像データをプリントアウトするためのプリンタを備え、広告付き返信電子メールには、画像データをプリントアウトするためのサービスページへのリンクが割り付けられていることを特徴としている。
【００２８】
上述の発明によれば、広告付き返信電子メールを受け取ったユーザが、自身の送信した画像データをプリントアウトすることができ、利便性が向上する。
【００２９】
また、他の発明は、上述の各アペンディクス型広告用のサーバ装置において、プリントアウトを、葉書の裏面もしくは表面への印刷としたことを特徴としている。
【００３０】
上述の発明によれば、画像をプリントアウトした後、それを葉書として他人へ郵送することが可能となり、使い勝手がさらに良くなる。
【００３１】
また、他の発明は、上述のアペンディクス型広告用のサーバ装置において、葉書への印刷を行うことが可能なサービスページに、当該印刷がなされた葉書の送信先を、さらに印刷するためのサービスページへのリンクが割り付けられていることを特徴としている。
【００３２】
また、本発明のアペンディクス型広告システムは、請求項１から１０の中のいずれか１項記載のアペンディクス型広告用のサーバ装置と、画像データ付き電子メールを送信することができるとともに、アペンディクス型広告用のサーバ装置からの広告付き返信電子メールを受信し、それを表示することができる携帯端末と、サーバ装置と携帯端末とを接続する通信ネットワークと、を備えることを特徴としている。
【００３３】
上述の発明によれば、携帯端末を利用するユーザに対して、広告付き返信電子メールを閲覧させることができる。しかも、そのユーザに対して、スポット広告を行い、広告内容のすりこみ効果を期待することができる。これにより、自分が運営する販売サイトのバナー広告が散発的に表示される場合等、従来のプル型やプッシュ型の広告に比べて、高い広告効果を期待することができる。
【００３４】
また、他の発明のアペンディクス型広告システムは、請求項１から１０の中のいずれか１項記載のアペンディクス型広告用のサーバ装置と、画像データ付き電子メールを送信することができるとともに、アペンディクス型広告用のサーバ装置からの広告付き返信電子メールを受信してこれを表示し、かつその広告付き返信電子メールに割り付けられたリンクを操作して、リンク先のウェブページを表示することができる携帯端末と、サーバ装置と携帯端末とを接続する通信ネットワークと、を備えることを特徴としている。
【００３５】
上述の発明によれば、携帯端末を利用するユーザに対して、広告付きのウェブページ（ログインページ）を閲覧させることができる。しかも、そのユーザに対して、スポット広告を行い、広告内容のすりこみ効果を期待することができる。これにより、自分が運営する販売サイトのバナー広告が散発的に表示される場合等、従来のプル型やプッシュ型の広告に比べて、高い広告効果を期待することができる。
【００３６】
また、本発明のコンピュータ読取可能なプログラムは、画像データを受信した旨のメッセージが割り付けられた電子メールデータと、広告データがアドレスに対応付けて記憶される広告データベースと、を保存する記憶部材を備えたコンピュータに、画像データ付き電子メールを受信する受信手段と、画像データ付き電子メールから送信元のアドレスを抽出する抽出手段と、抽出されたアドレスと広告データベース中のアドレスとを比較し、一致したアドレスに対応付けられた広告データを、広告データベースから読み込む読込手段と、読み込んだ広告データを割り付けた広告付き返信電子メールを生成する生成手段と、広告付き返信メールを、画像データ付き電子メールの送信元アドレスへ送信する送信手段と、を実現させる。
【００３７】
上述のプログラムをインストールすれば、画像データ付き電子メールの送信元に対して、広告データが割り付けられた広告付き返信電子メールを送信するコンピュータを構成することができる。このコンピュータは、端末を利用する一般ユーザに対して、スポット広告を行う。これにより、ユーザに対する広告内容のすりこみ効果を期待することができる。その結果、自分が運営する販売サイトのバナー広告が散発的に表示される場合等、従来のプル型やプッシュ型の広告に比べて、高い広告効果を期待することができる。
【００３８】
【発明の実施の形態】
以下、本発明の実施の形態に係るアペンディクス型広告用のサーバ装置、アペンディクス型広告システムおよびコンピュータ読取可能なプログラムを、図面に基づいて説明する。なお、コンピュータ読取可能なプログラムは、サーバ装置の記憶部材に記憶されている状態で説明する。
【００３９】
図１は、本発明の実施の形態に係るアペンディクス型広告システムを示すシステム構成図である。
【００４０】
このアペンディクス型広告配信システムは、アペンディクス型広告用のサーバ装置１と、クライアント端末となる携帯端末２及び広告主端末３と、サーバ装置１と携帯端末２及び広告主端末３とを接続する通信ネットワーク４と、を備える。なお、図１では、サーバ装置１、および一般ユーザのクライアント端末となる携帯端末２、及び広告主となるユーザのクライアント端末となる広告主端末３を、それぞれ１台のみ示しているが、これは説明を判り易くするためであり、実際にはそれぞれ１台に限られない。
【００４１】
なお、通信ネットワーク４は、互いに独立している複数本の通信ケーブルと、通信ケーブル同士を接続する通信機器と、を備える。通信ケーブルには、例えば、イーサネット（登録商標）ケーブル、同軸ケーブル、電話線などがある。電話回線の種類としては、アナログ回線、デジタル回線がある。通信機器としては、ブリッジ、ルータ、ハブ、ＡＴＭ交換機、プロトコル変換機などがある。
【００４２】
通信ネットワーク４は、デジタル移動通信網５と、インターネット８とを有する。デジタル移動通信網５とインターネット８とは、通信ケーブルで接続されている。
【００４３】
この実施の形態では、デジタル移動通信網５は、基地局９と、バックボーンネットワーク１０と、プロトコル変換サーバ７を有している。また、携帯端末２は、デジタル移動通信網５の一部を構成している。携帯端末２は、基地局９と無線通信することで、バックボーンネットワーク１０に接続される。バックボーンネットワーク１０は、プロトコル変換サーバ７を介してインターネット８に接続されている。広告主端末３とサーバ装置１とは、インターネット８に接続されている。
【００４４】
バックボーンネットワーク１０では、低速、高速のデータ通信、音声、動画像など、さまざまな様式のデータを、固定長のパケットと呼ばれるブロックに分割して、それぞれのパケットにあて先や制御情報などのヘッダをつけて送受信する。なお、基地局９とバックボーンネットワーク１０との間には、携帯端末２から送出されるパケットを中継処理する処理装置が種々介在する（図示省略）。プロトコル変換サーバ７は、バックボーンネットワーク１０とインターネット８との間で、パケットの中継処理を行う装置である。
【００４５】
後述するように、インターネット８に接続されている複数本の通信ケーブルの中の１本は、サーバ装置１のネットワークインタフェースカード（以下、ＮＩＣという）５１（図４参照）に接続される。また、他の通信ケーブルの中の一部は、広告主端末３のＮＩＣ１１（図２参照）に接続される。さらに、他の通信ケーブルの中の一部は、デジタル移動通信網５のプロトコル変換サーバ７に接続される。以下、サーバ装置１、携帯端末２および広告主端末３とをまとめて説明する場合には、コンピュータと記載する。
【００４６】
たとえば、イーサネット（登録商標）ケーブルと通信機器とで複数台のコンピュータを接続する場合、この複数台のコンピュータ同士は、ＴＣＰ／ＩＰ（Ｔｒａｎｓｍｉｓｓｉｏｎ  Ｃｏｎｔｒｏｌ  Ｐｒｏｔｏｃｏｌ／ＩｎｔｅｒｎｅｔＰｒｏｔｏｃｏｌ）に基づいて、通信データを送受信することが多い。イーサネット（登録商標）ケーブルと通信機器とで複数台のコンピュータ同士を接続する通信ネットワークの一つとして、たとえば、イントラネットと呼ばれるものがある。
【００４７】
ＩＰ（Ｉｎｔｅｒｎｅｔ  Ｐｒｏｔｏｃｏｌ）では、通信ネットワークに接続される全てのコンピュータに、互いに異なる固有のＩＰアドレスを割り当てる。そして、送信元のコンピュータから送信先のコンピュータへ通信データを送信する場合には、その通信データに、送信先のコンピュータのＩＰアドレスを付加する。送信先のＩＰアドレスが付加された通信データが、通信ネットワークへ送信される。送信先のコンピュータは、通信ネットワークを監視する。自分のＩＰアドレスが付加されている通信データを検出すると、これを受信する。これにより、送信元のコンピュータから送信先のコンピュータへ通信データを送信することができる。
【００４８】
ＴＣＰ（Ｔｒａｎｓｍｉｓｓｉｏｎ  Ｃｏｎｔｒｏｌ  Ｐｒｏｔｏｃｏｌ）では、パケットが通信の単位になる。コンピュータは、このパケットを単位として、送信処理や受信処理を行う。パケットは、通信データと、ヘッダとで構成される。ヘッダには、送信元のコンピュータのＩＰアドレス、送信先のコンピュータのＩＰアドレス、電子メールアドレスなどが記録される。
【００４９】
電話線と通信機器とで２台のコンピュータを接続する場合、この２台のコンピュータ同士は、ＡＴＭパケットを使用して、ＰＰＰ（Ｐｏｉｎｔ  ｔｏ  Ｐｏｉｎｔ  Ｐｒｏｔｏｃｏｌ）に基づいて、通信データを送受信することが多い。ＡＴＭ通信網などのデジタル通信網５は、互いに離れて設置されているコンピュータ同士を接続する場合に広く利用されている。
【００５０】
なお、インターネット８では、イーサネット（登録商標）ケーブル、電話線、同軸ケーブルが混在している。そのため、複数台のコンピュータの間には、これら複数種類の通信ケーブルが介在する場合が多い。そして、たとえば、イーサネット（登録商標）ケーブルで伝送されるＴＣＰ／ＩＰパケットの通信データは、プロトコル変換サーバ７において、ＡＴＭ（ａｓｙｎｃｈｒｏｎｏｕｓ  ｔｒａｎｓｆｅｒ  ｍｏｄｅ）パケットへ変換され、電話線（図１の例ではバックボーンネットワーク１０）へ送信される。逆に、電話線で伝送されるＡＴＭパケットの通信データは、プロトコル変換サーバ７において、ＴＣＰ／ＩＰパケットへ変換され、イーサネット（登録商標）ケーブル（図１の例ではインターネット８）へ送信される。これにより、複数種類の通信ケーブルが介在していたとしても、複数台のコンピュータ同士は、通信データを送受信することができる。
【００５１】
図２は、図１中の広告主端末３を示す端末構成図である。
【００５２】
広告主端末３は、ＮＩＣ１１と、モニタ１２と、キーボード１３と、中央処理装置（ＣＰＵ：Ｃｅｎｔｒａｌ  Ｐｒｏｃｅｓｓｉｎｇ  Ｕｎｉｔ）１４と、ＲＡＭ（Ｒａｎｄｏｍ  Ａｃｃｅｓｓ  Ｍｅｍｏｒｙ）１５と、記憶部材１６と、これらを接続するシステムバス１７と、を備える。記憶部材１６には、ブラウザプログラム１８が記憶されている。なお、図２に示す構成は、この発明を説明するに当たって説明のし易さを考慮した構成を示しており、広告主端末３としては図２中の一部の構成を含まないものとしたり、他の部材を含むものとしたり、複数台で構成されるものとしたりしてもよい。
【００５３】
たとえば、キーボード１３から起動指示が入力されると、中央処理装置１４は、ブラウザプログラム１８を実行する。これにより、ブラウザ手段が実現される。ブラウザ手段は、モニタ１２にブラウザウィンドウを表示する。ブラウザウィンドウには、アドレス表示部と、ページ表示部とが設けられる。アドレス表示部には、ＵＲＬ（Ｕｎｉｆｏｒｍ  Ｒｅｓｏｕｒｃｅ  Ｌｏｃａｔｏｒ）などのアドレスが入力される。
【００５４】
アドレス表示部に、たとえばＵＲＬが入力されると、ブラウザ手段は、予めＩＰアドレスを記憶している図示外のＤＮＳ（Ｄｏｍａｉｎ  Ｎａｍｅ  Ｓｙｓｔｅｍ）サーバへ、ＵＲＬに対応するＩＰアドレスを問い合わせるパケットを出力する。このパケットのヘッダには、送信先のＩＰアドレスとしてＤＮＳサーバのＩＰアドレスが指定されている。送信元のＩＰアドレスとして、自分に割り当てられているＩＰアドレスが指定されている。また、通信データには、アドレス表示部に入力されたＵＲＬが含まれる。ＮＩＣ１１は、このパケットをインターネット８へ送信する。
【００５５】
ＤＮＳサーバは、送信先として自分のＩＰアドレスが指定されているパケットを受信する。ＤＮＳサーバは、サーバ装置１のＩＰアドレスと、ＵＲＬとを対応付けたリストを記憶している。そして、受信したパケットに含まれるＵＲＬに対応するＩＰアドレスを検索する。また、検索したＩＰアドレスを通信データとするパケットを通信ネットワーク４へ送信する。このパケットのヘッダには、送信先のＩＰアドレスとして送信元となる広告主端末３のＩＰアドレスが指定される。送信元のＩＰアドレスとして、自分に割り当てられているＩＰアドレスが指定される。
【００５６】
広告主端末３は、送信先として自分のＩＰアドレスが指定されているパケットを受信する。これにより、広告主端末３は、ＵＲＬの送信先のＩＰアドレスを受信することができる。
【００５７】
そして、ブラウザ手段は、新たなパケットを出力する。この新たなパケットの送信先には、ＤＮＳサーバから受信したＩＰアドレスが指定されている。送信元には、自分に割り当てられているＩＰアドレスが指定されている。また、通信データには、アドレス表示部に入力されたＵＲＬが含まれる。
【００５８】
後述するように、サーバ装置１は、送信先として自分のＩＰアドレスが指定されているパケットを受信する。そして、パケットに含まれるＵＲＬに対応するウェブページデータを読み込み、そのウェブページデータを通信データとして含むパケットを送信する。このパケットの送信先には、広告主端末３のＩＰアドレスが指定される。送信元には、サーバ装置１のＩＰアドレスが指定される。
【００５９】
広告主端末３は、送信先として自分のＩＰアドレスが指定されているパケットを受信する。そして、ブラウザ手段は、パケットに通信データとして含まれているウェブページデータを、ページ表示部に表示する。
【００６０】
これにより、広告主となるユーザは、アドレス表示部に、ＵＲＬなどのアドレスを入力し、そのアドレスに対応するウェブページを、ページ表示部において閲覧することができる。
【００６１】
なお、ブラウザ手段は、ＵＲＬなどのアドレスを含むパケットを生成する際に、そのＵＲＬに対応するクッキーが記憶部材１６に記憶されている場合には、そのクッキー内に記述されているユーザ識別文字列やログインパスワードなどのログインデータを、パケットに含める。
【００６２】
携帯端末２は、携帯電話、カメラ付き携帯電話、ＰＤＡなどの移動端末である。携帯端末２は、少なくとも、画像データを保存する機能、画像データを電子メールで送受信する機能、バックボーンネットワーク１０及びインターネット８経由もしくはインターネット８経由のみでサーバ装置１と接続する機能を備えている。なお、本実施の形態では、一般ユーザが、携帯端末２を利用してサービスの提供を受けるようにしている。しかし、一般ユーザは、デスクトップ式のパーソナルコンピュータ等、固定式のクライアント端末を利用しても、以下に説明するサービスの提供を受けることは可能である。
【００６３】
図３に示すように、本実施の形態における携帯端末２は、送受信部３１と、表示部３２と、入力キー３３と、中央処理装置（ＣＰＵ：Ｃｅｎｔｒａｌ  Ｐｒｏｃｅｓｓｉｎｇ  Ｕｎｉｔ）３４と、ＲＡＭ（Ｒａｎｄｏｍ  Ａｃｃｅｓｓ  Ｍｅｍｏｒｙ）３５と、記憶部材３６と、これらを接続するシステムバス３７と、を備える。記憶部材３６には、ブラウザプログラム３８およびメーラープログラム３９が記憶されている。また、携帯端末２は、画像を撮影するカメラ４０およびカメラ４０で撮影された画像データを保存するメモリー４１を有している。なお、図３に示す構成は、この発明を説明するに当たって説明のし易さを考慮した構成を示しており、携帯端末２としては図３中の一部の構成を含まないものとしたり、他の部材を含むものとしたり、複数台で構成されるものとしてもよい。
【００６４】
図４は、図１中のサーバ装置１を示すサーバ構成図である。
【００６５】
サーバ装置１は、ＮＩＣ５１と、モニタ５２と、キーボード５３と、中央処理装置５４と、ＲＡＭ５５と、記憶部材５６と、プリンタ５７と、これらを接続するシステムバス５８と、を備える。なお、図４に示す構成は、この発明を説明するに当たって説明のし易さを考慮したものとしているが、サーバ装置１としては、図４中の一部の構成を含まないものとしたり、他の部材をさらに含むものとしたり、複数台で構成されるものとしてもよい。
【００６６】
記憶部材５６には、表示ページデータベース６１と、広告データベース６２と、ユーザデータベース６３と、電子メールデータベース６４と、サービスデータベース６５と、が記憶されている。また、記憶部材５６には、受信プログラム６６と、読込プログラム６７と、送信プログラム６８と、広告登録プログラム６９と、ユーザ登録プログラム７０と、サービス登録プログラム７１と、広告付き返信電子メール作成プログラム７２が記憶されている。
【００６７】
表示ページデータベース６１は、各種の表示ページデータが記憶されている。表示ページデータとしては、たとえば、ログインページデータ８１、サービスページデータ８２、ユーザ登録ページデータ８３、契約ページデータ８４、広告登録ページデータ８５などがある。サービスページデータ８２としては、さらに、画像データ保存サービスページデータ、画像確認ページデータ、ホームページ作成ページデータ、広告枠提供サービスページデータ、名刺作成サービスページデータ、印刷サービスページデータなどがある。また、これらの各ページデータ８１，８２，８３，８４，８５には、互いに異なるＵＲＬが対応付けられている。
【００６８】
サーバ装置１は、携帯端末２のユーザがユーザ登録ページにアクセスしそのユーザ登録ページでユーザ登録をするか、サーバ装置１に対してメール送信を行ったり、あるいはログインページ等の広告が割り付けられたページにアクセスすると、これらのアクセスに基づき、携帯端末２のアドレス情報を取得する。サーバ装置１は、広告データ（広告主関連のＵＲＬの場合のみを含む）と、アクセスしてきた携帯端末２のアドレス情報とを対応付けて、広告データベース６２に記憶する。どの電子メールアドレスにどの広告を対応つけるかの判断は、後述するように、広告主絡みのホームページのＵＲＬを介して画像データ付き電子メールが送信されてきたときは、そのＵＲＬに対応して分類され、ユーザ登録を行ったユーザに対しては登録されたユーザ情報または上述したＵＲＬに対応して分類される。また、時には、画像データ付き電子メールの受信アドレスを複数用意することで、この受信アドレスに対応付けて広告データが記憶される。
【００６９】
サーバ装置１は、携帯端末２から送信された画像データ付き電子メールを受信すると、送信元電子メールアドレスに対応する広告データを広告データベース６２から読み込み、電子メールデータの広告割付欄に割り付ける。そして、サーバ装置１は、このように生成した広告付き返信電子メールをインターネット８経由で、画像データ付き電子メールの送信元へ返信する。なお、送信先の電子メールアドレスに対応する広告データがない場合、サーバ装置１は、他の広告データを電子メールデータの広告割付欄に割り付け、画像データ付き電子メールの送信元である携帯端末２に対して、広告付き返信電子メールを返信するようにしているが、広告無しの返信電子メールを送信したり、何も送信しないようにしても良い。
【００７０】
図５は、広告データを割り付けた広告付き返信電子メールの一例を示す画面である。この広告付き返信電子メールは、携帯端末２から送信された画像データを受信した旨のメッセージおよび広告データが割り付けられていると共に、ウェブページ（サイト）で提供するサービスページのアドレスがリンク先として割り付けられている。広告データは、送信元の電子メールアドレスに、対応付けられたものである。
【００７１】
広告付き返信電子メール９１の上部には、画像データを受信した旨のメッセージが表示される。具体的には、「画像データを受け付けました」の文字列９２が表示される。文字列９２の図５における右側には、「確認」の文字列１００が表示される。この「確認」の文字列１００には、画像確認ページデータのＵＲＬがリンク先のアドレスとして割り当てられている。「確認」の文字列１００を操作すると、携帯端末２は、後述する画像確認ページデータ１０１（図６参照）に接続される。
【００７２】
また、広告付き返信電子メール９１の中央より下部にかけての位置には、この広告付き返信電子メールのリンク先となるサイトで提供されるサービスのリストが表示される。具体的には、「画像データ保存サービス」の文字列９３、「ホームページ作成」の文字列９４、「広告枠提供サービス」の文字列９５、「名刺作成サービス」の文字列９６、「印刷サービス」の文字列９７などが、リスト形式に表示される。これらの文字列９３，９４，９５、９６、９７は、サービス名の文字列である。なお、提供されるサービスとしては、これらの１つまたは複数としたり、これらの１つまたは複数と他のサービス、たとえば、電話番号検索サービス、ＦＡＸ送信サービス、チャットサービス、オークションサービスなどとを組み合わせるようにしてもよい。
【００７３】
また、「画像データ保存サービス」の文字列９３には、画像データ保存ページデータのＵＲＬがリンク先のアドレスとして割り当てられている。「ホームページ作成サービス」の文字列９４には、ホームページ作成ページデータのＵＲＬがリンク先のアドレスとして割り当てられている。「広告枠提供サービス」の文字列９５には、広告枠提供サービスページデータのＵＲＬがリンク先のアドレスとして割り当てられている。「名刺作成サービス」の文字列９６には、名刺作成サービスページデータのＵＲＬがリンク先のアドレスとして割り当てられている。
【００７４】
また、「印刷サービス」の文字列９７には、保存されている画像データを呼び出し、印刷する画像を選択させるための選択ボタン、選択決定ボタンなどが割り付けられた印刷サービスページのＵＲＬがリンク先アドレスとして割り当てられている。なお、印刷サービスは、画像データに基づいて写真プリントを行うサービス、画像データに基づいて葉書の表面または裏面へ印刷を行うサービスなどが考えられる。加えて、葉書印刷サービスにおいては、印刷サービスページで所定の操作を行うことにより、葉書の宛名印刷を行うサービスを行うようにしても良い。
【００７５】
その場合、「印刷サービス」の文字列９７を操作して印刷サービスページを表示させた後、一般ユーザが「写真プリント」または「葉書印刷」を選択する。「写真プリント」を選択することによって表示される写真プリントサービスページには、写真のサイズを指定するための入力手段を設けるようにしても良い。また、葉書印刷サービスページには、印刷する部位を選択するための手段、および宛名の入力をキー操作できる手段を設けるようにしても良い。
【００７６】
なお、上述した文字列９３，９４，９５，９６，９７の替わりに、それぞれの文字列が描画された画像を使用して、サービス名のリストを構成してもよい。
【００７７】
広告付き返信電子メール９１の中央部には、広告領域９８が設けられている。広告領域９８には、広告枠９９が割り付けられている。広告枠９９には、広告データベース６２から読み込まれた広告データが割り当てられる。なお、広告付き返信電子メール９１に広告データを割り付けるだけでなく、広告主が広告データを更新／削除するためにログインするためのログインページや、広告付き返信電子メール９１を受け取ったユーザがサービスを受けるために訪れるページにも、同様に広告データを割り付けるようにしても良い。
【００７８】
図６は、画像確認ページデータの一例を示す図である。画像確認ページデータ１０１の上部には、携帯端末２から画像データ付き電子メールによって送信され、サーバ装置１に保存された画像データ１０２が表示される。この画像データ１０２の下部には、過去に送信され、すでに保存されている画像データの一覧１０３が表示される。
【００７９】
なお、返信電子メールの他の例を、図７に示して説明する。この画像を受け付けた旨の返信電子メール１１１は、広告付き携帯端末２から送信された画像データを受信した旨のメッセージと、ウェブページ（サイト）で提供するサービスページのアドレスがリンク先として割り付けられている。
【００８０】
返信電子メール１１１の上部には、画像データを受信した旨のメッセージが表示される。具体的には、「画像データを受け付けました」の文字列１１２が表示される。文字列１１２の下部には、「確認用ホームページ（ｈｔｔｐ：／／・・・）」の文字列１１３が表示される。この「確認用ホームページ（ｈｔｔｐ：／／・・・）」の文字列１１３には、画像確認ページデータのＵＲＬがリンク先のアドレスとして割り当てられている。「確認用ホームページ（ｈｔｔｐ：／／・・・）」の文字列１１３を操作すると、携帯端末２は、画像確認ホームページ１２１（図８参照）に接続される。
【００８１】
なお、上述した文字列１１３の替わりに、文字列が描画された画像を使用して、サービス名のリストを構成してもよい。また、図７の例では、文字列１１３でページのＵＲＬを付記したが、これは無くても良い。また、図５の例において文字列にＵＲＬを加えても良い。
【００８２】
ログインページデータ８１は、ユーザが上述の各種サービスを受ける前にユーザ認証を受けるためのユーザ認証ページデータ、および認証されたユーザがサービスを受けるためのサービスリストを表示する画像確認ホームページ１２１のデータを有している。ユーザ認証ページデータには、ログインＩＤ（ユーザ名）の入力欄、パスワード入力欄、送信ボタンが割り付けられている。ユーザは、ログインＩＤの入力欄およびパスワード入力欄にそれぞれ所定の番号・記号を入力し、送信ボタンを操作すると、ユーザ認証を受けて画像確認ホームページ１２１へアクセスする。
【００８３】
図８は、画像確認ホームページ１２１を示す画面である。この画像確認ホームページ１２１は、画像確認ページデータのアドレスおよびウェブページ（サイト）で提供する各サービスページのアドレスがリンク先として割り付けられていると共に、広告データが割り付けられている。広告データは、送信元の電子メールアドレスに、対応つけられたものである。
【００８４】
画像確認ホームページ１２１の上部には、広告領域１２２が設けられている。広告領域１２２には、広告枠１２３が割り付けられている。広告枠１２３には、広告データベース６２から読み込まれた広告データが割り当てられる。
【００８５】
広告領域１２２の下部には、「保存された画像データの確認」の文字列１２４が表示される。「保存された画像データの確認」の文字列１２４には、画像確認ページデータ１０１のＵＲＬがリンク先のアドレスとして割り当てられている。
【００８６】
また、画像確認ホームページ１２１の中央より下部にかけての位置には、このリンク先となるサイトで提供されるサービスのリストが表示される。具体的には、「画像データ保存サービス（ｈｔｔｐ：／／・・・）」の文字列１２５、「ホームページ作成サービス（ｈｔｔｐ：／／・・・）」の文字列１２６、「広告枠提供サービス（ｈｔｔｐ：／／・・・）」の文字列１２７、「名刺作成サービス（ｈｔｔｐ：／／・・・）」の文字列１２８、「印刷サービス（ｈｔｔｐ：／／・・・）」の文字列１２９などが、リスト形式に表示される。これらの文字列１２５，１２６，１２７，１２８，１２９は、サービス名の文字列である。なお、提供されるサービスとしては、これらの１つまたは複数としたり、これらの１つまたは複数と他のサービス、たとえば、電話番号検索サービス、ＦＡＸ送信サービス、チャットサービス、オークションサービスなどとを組み合わせるようにしてもよい。
【００８７】
また、「画像データ保存サービス（ｈｔｔｐ：／／・・・）」の文字列１２５には、画像データ保存ページデータのＵＲＬがリンク先のアドレスとして割り当てられている。「ホームページ作成サービス（ｈｔｔｐ：／／・・・）」の文字列１２６には、ホームページ作成ページデータのＵＲＬがリンク先のアドレスとして割り当てられている。「広告枠提供サービス（ｈｔｔｐ：／／・・・）」の文字列１２７には、広告枠提供サービスページデータのＵＲＬがリンク先のアドレスとして割り当てられている。「名刺作成サービス（ｈｔｔｐ：／／・・・）」の文字列１２８には、名刺作成サービスページデータのＵＲＬがリンク先のアドレスとして割り当てられている。
【００８８】
また、「印刷サービス（ｈｔｔｐ：／／・・・）」の文字列１２９には、保存されている画像データを呼び出し、印刷する画像を選択させるための選択ボタン、選択決定ボタンなどが割り付けられた印刷サービスページのＵＲＬがリンク先アドレスとして割り当てられている。なお、印刷サービスは、画像データに基づいて写真プリントを行うサービス、画像データに基づいて葉書の表面または裏面へ印刷を行うサービスなどが考えられる。加えて、葉書印刷サービスにおいては、印刷サービスページで所定の操作を行うことにより、葉書の宛名印刷を行うサービスを行うようにしても良い。
【００８９】
その場合、「印刷サービス（ｈｔｔｐ：／／・・・）」の文字列１２９を操作して印刷サービスページを表示させた後、一般ユーザが「写真プリント」または「葉書印刷」を選択する。「写真プリント」を選択することによって表示される写真プリントサービスページには、写真のサイズを指定するための入力手段を設けるようにしても良い。また、葉書印刷サービスページには、印刷する部位を選択するための手段、および宛名の入力をキー操作できる手段を設けるようにしても良い。
【００９０】
なお、上述した文字列１２４，１２５，１２６，１２７，１２８，１２９の替わりに、それぞれの文字列が描画された画像を使用して、サービス名のリストを構成してもよい。また、図８の例では、各文字列１２４，１２５，１２６，１２７，１２８，１２９では、それぞれ各ページのＵＲＬを表示したが、これらは無くても良い。
【００９１】
また、ログインページデータ８１には、広告付き返信電子メール９１、返信電子メール１１１、画像確認ホームページ１２１のためのデータが含まれる。
【００９２】
サービスページデータ８２中のホームページ作成ページデータには、保存された画像データが既に１つあるいは複数ある場合にそれを表示する表示部と、各画像データに対するチェックボックスと、ウェブページを構成するタグや文字列（たとえば、各画像データに対するコメント等を表示する文字列）を入力するための入力ボックスと、送信ボタンとが割り付けられている。
【００９３】
また、各サービスページの入り口画面中には、新規ユーザが新規のユーザ登録を行うためのユーザ登録ページデータ８３がリンク先アドレスとして割り付けられている。ユーザは、このリンクを操作し、ユーザ登録ページデータ８３にアクセスし、自分の端末の電子メールアドレスおよび氏名（ユーザ名）などの個人情報を入力すると、ユーザの電子メールアドレス等の個人情報がユーザデータベース６３に登録される。
【００９４】
また、ホームページ作成データには、既に作成したホームページを更新するための更新ボタン、および削除するための削除ボタンが割り付けられている。なお、上述のチェックボックスにチェックを入れた後に、削除ボタンを操作すると、チェックされたデータのみが削除される。
【００９５】
なお、上述のサービスページデータに、「ホームページ更新」用のボタンを割り付け、このボタンを操作すると、既に作成されサービスデータベース６５に保存されているユーザのホームページデータを更新するためのデータにアクセス出来るようにしても良い。
【００９６】
このホームページの更新ページデータでは、最新時期に送信した画像データに関する表示部、チェックボックス、入力ボックスおよび送信ボタンのみを割り付けるようにしてもよい。その場合、過去の画像データを呼び出すための指示ボタンを設けるようにしても良い。一般ユーザは、このホームページ更新ページで、所定の操作を行うことにより、複数の画像データの中からその一部を削除したり、画像データもしくは画像データに対するコメントとなるテキストデータを削除したりすることができる。この処理は、受信手段がその指令を受け付けると、この指令に基づき、ホームページ生成手段が行う。また、ホームページ更新ページにおいて、画像データを受信した日または日時を表示させ、これらの情報（データ）を必要に応じてホームページデータに加えることが可能としても良い。この処理は、受信手段がその指令を受け付けると、この指令に基づき、ホームページ生成手段が行う。
【００９７】
ユーザ登録ページデータ８３には、ログインパスワードの入力ボックスや、氏名、年齢、住所、電話番号、郵便番号、生年月日、好みなどを入力するための複数個の入力ボックスと、送信ボタンとが割り付けられている。
【００９８】
契約ページデータ８４には、広告枠９９，１２３の契約条件や価格などの告知事項と、承認ボタンと、が割り当てられている。承認ボタンには、広告登録ページデータ８５のＵＲＬがリンクとして割り当てられている。
【００９９】
広告登録ページデータ８５には、広告データを構成するタグおよび文字列を入力するための入力ボックスと、送信ボタンと、が割り付けられている。
【０１００】
広告データベース６２には、広告枠９９や広告枠１２３に配置される複数の広告データが記憶されている。広告データとしては、文字や画像の各データが含まれる。また、文字データとして広告主のＵＲＬを表す文字列が含まれる。また、各広告データは、一般ユーザの電子メールアドレスに対応付けて広告データベース６２として記録されている。どの電子メールアドレスにどの広告を対応付けるかは、その送信元の電子メールアドレスが所定のＵＲＬを介して送信してきたときはそのＵＲＬに対応させ、ユーザ登録したユーザにはそのユーザ情報を利用して対応させる。また、この両方を利用することも可能である。また、送信先（送信元）のメールアドレスを複数用意することで、画像データ付き電子メールがどこ宛に送信してきたかを対応付けるようにしても良い。
【０１０１】
ユーザデータベース６３には、携帯端末として携帯電話が利用された場合、その携帯電話を他のものと区別するためのＩＤが記録される。また、ユーザデータベース６３には、ユーザのメールアドレス、ユーザ識別文字列およびパスワードなどのログインデータや、ユーザデータや、サービスの利用データなどが記憶されている。なお、携帯端末２のユーザに対する識別番号と、広告主となるユーザに対する識別番号とを区別するようにしても良い。
【０１０２】
電子メールデータベース６４は、画像データ付き電子メールの送信元に対して送信する、広告付き返信電子メール等の各種の電子メールの構成の一部となる電子メールデータが記憶されている。
【０１０３】
サービスデータベース６５には、ホームページデータ、印刷用のデータ、名刺データなどが記憶される。
【０１０４】
中央処理装置５４は、記憶部材５６に記憶されている受信プログラム６６を実行する。これにより、受信手段が実現される。中央処理装置５４がさらに送信プログラム６８を実行することで、送信手段が実現される。中央処理装置５４がさらに読込プログラム６７を実行することで、読込手段が実現される。この読込手段は、抽出手段およびホームページ生成手段ともなる。また、中央処理装置５４は、ユーザ登録プログラム７０を実行する。これにより、ユーザ登録手段が実現される。中央処理装置５４が広告登録プログラム６９を実行することで、広告登録手段が実現される。
【０１０５】
さらに、中央処理装置５４は、サービス登録プログラム７１を実行する。これにより、サービス登録手段が実現される。また、中央処理装置５４は、広告付き返信電子メール作成プログラム７２を実行する。これによって、広告付き返信電子メールを送信するメール送信手段が実現される。また、中央処理装置５４は、印刷命令プログラム７３を実行することで、プリンタ５７を起動し、画像データを写真プリントしたり、葉書印刷することが実現される。これによって、中央処理装置５４は、印刷手段の一部として機能する。
【０１０６】
次に、このサーバ装置１の全体の動作を説明する。
【０１０７】
たとえば、サーバ装置１のＮＩＣ５１がパケットを受信すると、受信手段は、そのパケットに含まれる通信データの種類を判定する。具体的には、通信データに、電子メールアドレスまたはＵＲＬなどのアドレスが含まれているのか、通信データがユーザ登録データであるのか、通信データが広告登録データであるのか、通信データがホームページ作成データなどのサービスデータであるのか、を判断する。
【０１０８】
ユーザ登録データは、ユーザ登録ページデータ８３の送信ボタンが操作されることで生成される。広告登録データは、広告登録ページデータ８５の送信ボタンが操作されることで生成される。ホームページデータは、ホームページ作成ページデータの送信ボタンが操作されることで生成される。なお、これらの送信ボタンは、文字列でも良いし、文字列が描画された画像を使用しても良い。
【０１０９】
図９および図１０は、携帯端末２から送られてくる通信データにアドレスが含まれている場合に、中央処理装置５４が実行する処理手順を示すフローチャートである。なお、プロトコル変換サーバ７は、デジタル移動通信網５とインターネット８との間で送受信される通信パケットを、その送信元のプロトコルから送信先のプロトコルに変換する処理を行う。
【０１１０】
パケットに送信先アドレスが含まれている場合、受信手段は、その通信データを読込手段へ渡し（ＳＴ１）、読込手段は、その送信先アドレスが電子メールアドレスか否かを判断する（ＳＴ２）。
【０１１１】
送信先アドレスが、電子メールアドレスではない場合（ＳＴ２においてＮＯ）、矢示Ａに進み、そのアドレスがＵＲＬなどか否かを判断する。なお、この判断は、図１０に示すフローチャートと類似なものとなる。送信先アドレスが、電子メールアドレスである場合（ＳＴ２においてＹＥＳ）、抽出手段は、その電子メールアドレスが、ユーザデータベース６３に登録されているものか否かを判断する（ＳＴ３）。ＳＴ３においてＹＥＳの場合、受信手段は、電子メールを送信手段へ渡す（ＳＴ５）。ＳＴ３においてＮＯの場合、「ユーザ登録されていません。」の文字列を、電子メールの送信元への返信用の電子メールデータに付加し（ＳＴ４）、後述するＳＴ１２へ進み、返信用の電子メールを送信するステップを行う。
【０１１２】
受信された電子メールが受信手段へ渡されると（ＳＴ５）、次に、受信手段は、送信されてきた通信データに、画像データが含まれているか否かを判断する（ＳＴ６）。画像データが含まれていない場合（ＳＴ６においてＮＯ）、「画像データはありません」の文字列を、電子メールの送信元への返信用電子メールデータに付加し（ＳＴ７）、後述するＳＴ１２へ進み、返信用の電子メールを送信するステップを行う。
【０１１３】
受信手段は、サービスデータベース６５内に設けられている、画像データ保存用ホルダー内に、送信元の電子メールアドレスに関連つけられた、画像データを格納するためのホルダーがあるか否かを判断する（ＳＴ８）。
【０１１４】
格納用のホルダーがある場合（ＳＴ８においてＹＥＳ）、受信手段は、送信されてきた画像データを、当該ホルダーへ保存する（ＳＴ１１）。ホルダーがない場合（ＳＴ８においてＮＯ）、サービス登録プログラム７１が起動して、画像データ保存用ホルダー内に送信元の電子メールアドレスに関連付けられた、画像データを格納するためのホルダーを新規に作成する（ＳＴ９）。
【０１１５】
そして、サービス登録プログラム７１が、この画像格納用ホルダーにアドレス（ＵＲＬ）を創出する（ＳＴ１０）。この場合、画像格納用ホルダー１個に１個の画像データを入れ、そのホルダーに１つのＵＲＬを付すようにしても良いが、この実施の形態では、１つの画像格納用ホルダーに複数の画像データを入れることを可能とし、そのホルダーにＵＲＬを付するようにしている。サービス登録プログラム７１は、画像データをＵＲＬが付された新規の画像格納用ホルダーに保存する（ＳＴ１１）。
【０１１６】
次に、送信手段は、画像データ付き電子メールの送信元のアドレスを送信先とする広告付き返信電子メールを作成する。具体的には、送信手段は、まず、電子メールデータベース６４から返信用の電子メールデータを抽出する（ＳＴ１２）。この電子メールデータには、「画像データを受け付けました」の文字列、およびサイトで提供するサービスページへのリンクが割り付けられている。これが、ログインページデータ８１に相当する。
【０１１７】
次に、読込手段が、送信元の電子メールアドレスに対応つけられた広告データを、広告データベース６２から読み込む（ＳＴ１３）。そして、生成手段は、読み込んだ広告データを、ＳＴ１２で抽出した返信用の電子メールデータに割り付け、広告付き返信電子メールを生成する（ＳＴ１４）。メール送信手段が、生成された広告付き返信電子メールを、画像データ付き電子メールの送信元となる携帯端末２に送信する（ＳＴ１５）。携帯端末２の表示部３２には、図５に示す表示がなされる。
【０１１８】
なお、広告データとして、図７に示すような、「確認用ホームページ（ｈｔｔｐ：／／・・・）」の文字列１１３とした場合は、図７に示すような返信電子メール１１１が作成される。文字列１１３にリンクされる画像確認ホームページ１２１中に、送信元の電子メールアドレスに対応付けられた広告データが割り付けられている。
【０１１９】
図１０は、携帯端末２のユーザが、受け取った広告付き返信電子メールに割り付けられたリンクを操作し、サービスを受ける場合における、サーバ装置１の中央処理装置５４が実行する処理手順を示すフローチャートである。
【０１２０】
携帯端末２からのパケットにＵＲＬなどの電子メールアドレス以外のアドレスが含まれている場合（ＳＴ２１）、受信手段は、その通信データを読込手段へ渡し、読込手段は、まず、アドレスがサービスページにおけるトップページのＵＲＬか否かを判断する（ＳＴ２２）。アドレス内のＵＲＬがトップページのＵＲＬでない場合には、さらにその通信データが各種サービスの申し込みに関するデータが含まれているか否かを判断する（ＳＴ２３）。
【０１２１】
そして、各種サービスの申し込みに関するデータが通信データに含まれている場合には、表示ページデータベース６１から、ユーザ登録ページデータ８３を読み込む（ＳＴ２４）。読込手段は、ユーザ登録ページデータ８３を送信手段へ渡す。送信手段は、ユーザ登録ページデータ８３を通信データとするパケットを生成する。このパケットの送信先は、ＮＩＣ５１が受信したパケットに送信元として含まれているＩＰアドレスになる。ＮＩＣ５１は、このパケットを通信ネットワーク４へ送信する（ＳＴ２５）。
【０１２２】
図１１は、通信データがユーザ登録データである場合に、中央処理装置５４が実行する処理手順を示すフローチャートである。すなわち、広告主や一般ユーザは、ユーザ登録ページデータ８３に基づいて、ユーザ登録ページをクライアント端末に表示して、ユーザ登録データを入力する。その入力されたデータがクライアント端末からサーバ装置１へ送られる。なお、携帯端末２が携帯電話である場合、ユーザの特定は、送られてきたデータから可能となるので、仮に使用料などの費用が発生した場合であっても、その携帯電話の使用者に通話料と併せて請求できる。そのため、このユーザ登録ページデータ８３等のユーザ登録に関するデータや処理手順を不要としても良い。
【０１２３】
クライアント端末から送られてくる通信データがユーザ登録データである場合、受信手段は、その通信データをユーザ登録手段へ渡す（ＳＴ２６）。ユーザ登録手段は、新たなユーザ識別文字列を発生する。このユーザ識別文字列は、既にユーザデータベース６３に登録されている全てのユーザ識別文字列と異なるユーザ識別文字列である（ＳＴ２７）。そして、この新たに発生したユーザ識別文字列と、ユーザ登録データとを、ユーザデータベース６３に登録する（ＳＴ２８）。
【０１２４】
ユーザ登録手段は、発生したユーザ識別文字列と、ログインパスワードとを、ログインデータとして、送信手段へ渡す。送信手段は、ログインデータを通信データとするパケットを生成する。このパケットの送信先は、ＮＩＣ５１が受信したパケットに送信元として含まれているＩＰアドレスになる。ＮＩＣ５１は、このパケットをインターネット８へ送信する（ＳＴ２９）。
【０１２５】
図１２は、通信データが後述する広告主となろうとする者が作成した広告登録データである場合に、中央処理装置５４が実行する処理手順を示すフローチャートである。
【０１２６】
通信データが広告登録データである場合、受信手段は、その通信データを広告登録手段へ渡す（ＳＴ３０）。広告登録手段は、新たな広告識別文字列を発生する。この広告識別文字列は、既に広告データベース６２に登録されている全ての広告識別文字列と異なる広告識別文字列である（ＳＴ３１）。そして、この新たに発生した広告識別文字列と、受信した広告データとを、広告データベース６２に登録する（ＳＴ３２）。また、広告登録手段は、トップページのログインＵＲＬの後に、発生した広告識別文字列を付加したアドレスを生成し（ＳＴ３３）、送信手段へ渡す。送信手段は、このアドレスを通信データとするパケットを生成する。このパケットの送信先は、ＮＩＣ５１が受信したパケットに送信元として含まれているＩＰアドレスになる。ＮＩＣ５１は、このパケットをインターネット８へ送信する（ＳＴ３４）。
【０１２７】
図１３は、携帯端末２から送られてくる通信データがサービスデータである場合に、中央処理装置５４が実行する処理手順を示すフローチャートである。ここで、サービスデータとは、ユーザ登録を行った携帯端末２のユーザが、所定のサービスを希望するときに送信するデータで、たとえば、葉書作成サービスである場合には、葉書の送り主またはあて先等の住所録、表面および裏面（どちらか一方の場合も含む）のレイアウト情報などからなる葉書印刷情報であり、画像データが割り付けられたホームページを作成するサービスの場合には、サーバ装置１に保存されている画像データのアドレス情報、各画像データに対応するコメントデータなどのテキストデータなどのデータである。
【０１２８】
なお、ユーザ登録をしている広告主も、携帯端末２のユーザ同様、図１３で示すサービスを受けられるものとするが、以下、携帯端末２のユーザがサービスの提供を受ける場合について説明する。
【０１２９】
中央処理装置５４は、通信データがサービスデータか否かを判定し、サービスデータである場合、受信手段は、その通信データをサービス登録手段へ渡す（ＳＴ３５）。サービス登録手段は、サービスデータを、サービスデータベース６５に登録する（ＳＴ３６）。
【０１３０】
ところで、図１０に示すように、通信データがＵＲＬなどのアドレスであり、そのアドレスのＵＲＬがトップページ以外のＵＲＬで、しかも、サービス申し込みに関するデータ（ＵＲＬ他）でない場合には、読込手段は、表示ページデータベース６１から、そのＵＲＬが対応付けられたウェブページデータを読み込んで（ＳＴ３７）、送信手段へ渡す。送信手段は、ユーザ登録ページデータ８３を通信データとするパケットを生成する。このパケットの送信先は、ＮＩＣ５１が受信したパケットに送信元として含まれているＩＰアドレスになる。ＮＩＣ５１は、このパケットをインターネット８へ送信する（ＳＴ２５）。
【０１３１】
アドレスのＵＲＬがトップページのＵＲＬである場合（ＳＴ２２においてＹＥＳ）には、読込手段は、アドレスから広告識別文字列を抽出する（ＳＴ３８）。そして、読込手段は、受信した広告識別文字列に対応する広告データを、広告データベース６２から読み込む（ＳＴ３９，ＳＴ４０）。なお、受信した広告識別文字列に対応する広告データが無い場合や、アドレスから広告識別文字列を抽出できなかった場合には、任意の他の広告データを、広告データベース６２から読み込む（ＳＴ３９，ＳＴ４１）。また、読込手段は、表示ページデータベース６１から、ログインページデータ８１を読み込み（ＳＴ４２）、このログインページデータ８１の広告枠９９，１２３に、これらの広告データを割り当てる。また、確認用ホームページのＵＲＬをログインページデータ８１に割り当てる。これにより、広告付きログインページデータが生成される（ＳＴ４３）。
【０１３２】
読込手段は、広告付きログインページデータを送信手段へ渡す。送信手段は、この広告付きログインページデータを通信データとして含むパケットを生成する。このパケットの送信先は、ＮＩＣ５１が受信したパケットの送信元になる。そして、送信手段は、パケットを出力する。ＮＩＣ５１は、このパケットをインターネット８へ送信する（ＳＴ２５）。
【０１３３】
次に、広告配信システムの全体の動作を説明する。
【０１３４】
まず、サーバ装置１を運営する者が特定の広告主を探し出す。そして、初期のログインページに相当する電子メールデータを作成する。この電子メールデータには、管理人が自己の広告データ及び他の広告主の広告データが貼り付けられていると共に、各種サービスを受けるためのサービスページのＵＲＬがリンク先として割り付けられている。なお、この電子メールには、ログインページのＵＲＬを表示し、ユーザがそのＵＲＬを操作すると、上述の初期のログインページに接続されるようにしても良い。このログインページは、所定のＵＲＬを付して、表示ページデータベース６１に登録される。なお、上述の広告データは、広告主データベース６２に保存されている。
【０１３５】
その後、その広告主またはその広告主から依頼されたサーバ装置１の管理者は、電子メールなどによって、そのログインページ（たとえば、図５における「画像データを受け付けました」の文字列９２および「確認」の文字列１００を除外して表示したもの）を広告したい者に送信する。その電子メールを受け取った者は、画像データ保存サービス等の各サービスの中から希望するサービスを選択する。そして、自己の携帯端末２等のクライアント端末を使用し、画像データを添付した（あるいは添付せずに）当該電子メールを各サービス内で記載されている電子メールアドレスを指定して送信することで、サーバ装置１からログインページに相当する広告付き返信電子メール９１または返信電子メール１１１を受信する。
【０１３６】
なお、本実施の形態では、図５に示す返信電子メール９１に各種サービスを受けるためのサービスページのアドレスがリンク先として割り付けられており、画像データ付き電子メールの宛先を何らかの手段によって把握している者は、ログインページを経由せずに、直接受け取った返信電子メールからサービスページへのアクセスが可能となっている。
【０１３７】
広告主となろうとする者は、ログインページとなる広告付き返信電子メール９１等から広告を申し込むため、広告主端末３を起動させることとなる。すなわち、広告主端末３のキーボード１３から、広告主となろうとする者は、起動指示を入力する。中央処理装置１４は、ブラウザプログラム１８を実行する。ブラウザ手段は、モニタ１２にブラウザウィンドウを表示する。
【０１３８】
また、広告主となろうとする者は、広告枠提供サービスのＵＲＬを直接入力するか、先に他の広告主から送られてきたログインページを開くか、または直接、画像データ保存サービスを受けた際に、サーバ装置１から送られてきた広告付き返信電子メール９１に割り付けられたリンクを操作する。ブラウザ手段は、ＤＮＳサーバと通信を行って、ログインＵＲＬに対応するＩＰアドレスを入手し、このＩＰアドレスを送信先に指定してパケットを出力する。初回アクセス時には、記憶部材１６にログインデータが記憶されていないので、このパケットには、ログインＵＲＬのみが含まれる。
【０１３９】
パケットは、広告主端末３のＮＩＣ１１からインターネット８へ送信される。サーバ装置１は、インターネット８を監視しており、送信先に自分のＩＰアドレスが付加されたこのパケットを受信する。そのパケットの通信データにはログインＵＲＬが含まれているので、サーバ装置１の受信手段は、この通信データを読込手段へ渡す。読込手段は、通信データに、ログインＵＲＬのみが含まれているだけなので、ステップＳＴ３８，ＳＴ３９，ＳＴ４０（ＳＴ４１），ＳＴ４２，ＳＴ４３を実行し、広告付きのログインページが送信手段においてパケット化された後、サーバ装置１のＮＩＣ５１からインターネット８へ送信される。
【０１４０】
広告主端末３は、インターネット８を監視しており、送信先に自分のＩＰアドレスが付加されたこのパケットを受信する。ブラウザ手段は、このパケットに含まれるユーザ登録ページデータ８３を、ブラウザウィンドウ内のページ表示部に表示する。
【０１４１】
広告主となろうとする者は、たとえば、ログインページとなる広告付き返信電子メール９１から「広告枠提供サービス」の文字列９５の部分をクリックする。すると、そのデータは、広告主端末３からサーバ装置１へ送られる。このとき、その通信データは、トップページのＵＲＬとなるため、ステップＳＴ１６では否定的な判断となり、ステップＳＴ２３で、サービス申し込みに関するデータが含まれるか否かが判断される。このステップＳＴ２３では、肯定的となるため、読込手段は、表示ページデータベース６１からユーザ登録ページデータ８３を読み込む。
【０１４２】
ユーザ登録ページデータ８３は、送信手段によってパケット化された後、サーバ装置１のＮＩＣ５１からインターネット８へ送信される。広告主端末３は、インターネット８を監視しており、このパケットを受信する。ブラウザ手段は、このパケットに含まれるユーザ登録ページデータ８３をブラウザウィンドウ内に表示する。
【０１４３】
広告主となろうとする者は、ページ表示部に表示されたユーザ登録ページに所定のデータを入力する。具体的には、ログインパスワード、氏名、年齢、住所、電話番号、郵便番号、生年月日、好みなどを入力する。また、ユーザ登録ページ内の送信ボタンが操作されると、ブラウザ手段は、この入力されたユーザ登録データをパケット化する。
【０１４４】
ユーザ登録データのパケットは、インターネット８に送信され、サーバ装置１に受信される。パケットの通信データには、ユーザ登録データが含まれているので、サーバ装置１の受信手段は、この通信データをユーザ登録手段へ渡す。ユーザ登録手段は、新たなユーザ識別文字列を生成して、このユーザ識別文字列とユーザ登録データとをユーザデータベース６３に登録する。また、ユーザ登録手段から送信手段へ、ユーザ識別文字列およびログインパスワードが渡される。
【０１４５】
ユーザ識別文字列およびログインパスワードは、インターネット８に送信され、広告主端末３に受信される。ブラウザ手段は、このユーザ識別文字列およびログインパスワードを、ログインデータとして記憶部材１６に記憶する。
【０１４６】
広告主となろうとする者が、アドレス表示部に、ログインＵＲＬを入力すると、ブラウザ手段は、パケットをサーバ装置１へ送信する。このパケットには、ログインＵＲＬと、ログインデータとが含まれる。パケットのログインデータに基づいてユーザ登録が確認できるので、サーバ装置１は、ログインページデータ８１を送信する。広告主端末３のページ表示部には、ログインページが表示される。なお、ユーザ識別文字列およびログインパスワードなどのログインデータとともに、サーバ装置１が、ログインページデータ８１を送信するようにしてもよい。また、再度、広告付き返信電子メール９１を表示するのではなく、広告作成用のページデータを送り、すぐに広告用データが作成できるようにしてもよい。
【０１４７】
広告主が、ログインページに表示されているいずれかのサービス名の文字列９３，９４，９５，９６，９７の中から文字列９５を操作すると、広告主端末３からサーバ装置１へ、その広告枠提供サービスに割り当てられたＵＲＬと、ログインデータとが送信される。サーバ装置１は、そのＵＲＬに対応するウェブページデータをクライアント端末へ送信する。広告主端末３のモニタ１２には、サービスに対応するサービスページが表示される。なお、広告を行おうとする者が他のサービスを希望する場合は、他の文字列９３，９４，９６，９７を選択することができる。その場合は、一度ユーザ登録され、そのデータが記憶部材１６に記憶されているので、再度のユーザ登録は不要となる。
【０１４８】
広告主が、ログインページの「広告枠提供サービス」の文字列９５を操作したため、広告主端末３からサーバ装置１へ、契約ページデータ８４のＵＲＬが、ログインデータとともに送信される。サーバ装置１では、読込手段が、契約ページデータ８４を読み込む。契約ページデータ８４は、サーバ装置１から広告主端末３へ送信される。広告主端末３のモニタ１２には、契約ページが表示される。
【０１４９】
広告主が、契約ページの承認ボタンを操作すると、広告登録ページデータ８５のＵＲＬが、ログインデータとともに送信される。サーバ装置１では、読込手段が、広告登録ページデータ８５を読み込む。広告登録ページデータ８５は、サーバ装置１から広告主端末２へ送信される。広告主端末３のモニタ１２には、広告登録ページが表示される。
【０１５０】
広告主が、広告登録ページにおいて、広告データを作成する。広告データには、販売する商品やサービスに関するデータと、購入ボタンと、を備えることができる。
【０１５１】
広告主が、広告登録ページの送信ボタンを操作すると、広告主端末３からサーバ装置１へ、入力された広告データが送信される。サーバ装置１では、広告登録手段が、この広告データを、新たに生成した広告識別文字列とともに、広告データベース６２に登録する。また、サーバ装置１は、広告主がユーザ登録を行うと、当該広告主に対して画像登録専用の電子メールアドレスと、広告用の画像等を閲覧できるＵＲＬとを発行する。広告主が希望する場合には、さらに第三者が当該広告用の画像等を閲覧できる広告主の広告用ホームページとなるＵＲＬを発行する。この専用の電子メールアドレスと、両ＵＲＬと、広告データとが、対応付けられて広告データベース６２に保存されることとなる。
【０１５２】
また、サーバ装置１から広告主端末３へ、その広告データを表示するためのアドレスが送信される。このアドレスは、ログインＵＲＬの後に、広告識別文字列を付加した文字列になっている。このアドレスは、ページ表示部に表示される。
【０１５３】
なお、ユーザ登録した広告主が、文字列９３を選択すると、画像データ保存サービスページが表示される。この画像データ保存サービスページにおいて、ユーザがメニューに従って操作をすることにより、画像データが電子メールに添付されてサーバ装置１へ送信される。サーバ装置１は、画像データが送信されてくると、サービスデータベース６５内に、送信されてきた画像データを保存するための画像データ保存用ホルダーの有無を検出する。そして、当該ホルダーがある場合、サーバ装置１は、送信されてきた画像データをそのホルダーへ保存する。また、このホルダーがない場合、サーバ装置１は、新規にホルダーを作成し、この作成された新規のホルダーに送信されてきた画像データを保存する。
【０１５４】
また、サーバ装置１は、この画像データの送信元となるクライアント端末に対し、当該送信元のメールアドレスに対応付けて広告データベース６２に記憶されている広告データが割り付けられた広告付き返信電子メール９１または返信電子メール１１１を送信する。なお、この広告付き返信電子メール９１または返信電子メール１１１は、画像データを受け付けたタイミングで送信するが、ユーザ登録完了通知として送信しても良い。この広告付き返信電子メール９１または返信電子メール１１１は、各種のサービスページをリンク先とするアドレスが割り当てられた一種のログイン画面となっており、ユーザは、この広告付き返信電子メール９１または返信電子メール１１１を受け取ってリンク部分を操作することで、各種のサービスページへユーザ認証された状態でアクセスすることができる。
【０１５５】
なお、ユーザ登録した広告主が、文字列９４を選択すると、フリーホームページ作成ページが表示される。そして、そのページにおいて、ホームページデータを作成した後、送信ボタンを操作すると、広告主端末３からサーバ装置１へ、入力されたホームページデータが送信される。サーバ装置１では、サービス登録手段が、このホームページデータをサービスデータベース６５に登録する。
【０１５６】
また、文字列９６を選択すると、名刺作成ページが表示される。その名刺作成ページにおいて、名刺データを作成した後、送信ボタンを操作すると、広告主端末３からサーバ装置１へ、入力された名刺データが送信される。サーバ装置１では、サービス登録手段が、この名刺データをサービスデータベース６５に登録する。
【０１５７】
このように、広告主は、広告付き返信電子メール９１等において、各種のサービス名の文字列９３，９４，９５，９６，９７を操作することで、広告枠の提供を受けることができる他、サイトで提供されているフリーホームページサービスや、名刺作成サービスなどを利用することができる。なお、各サービスにおいては、画像データ保存サービスで保存された画像データを利用できるようにしている。たとえば、名刺作成サービスでは、保存されている画像の１つ、または複数を選択して名刺中に入れ込むことができる。ホームページ作成サービスや印刷サービスでも同様となっている。
【０１５８】
広告主端末３は、新たに形成され、自己のホームページのＵＲＬの文字列が記載された自己の広告を含むログインページであって広告付き返信電子メール９１に類似するものをサーバ装置１から受領する。このログインページは、図５から「画像データを受け付けました」の文字列９２と「確認」の文字列１００を除いて表示されたものである。広告主は、モニタ１２に表示されたアドレス、すなわち受領した自己のホームページのＵＲＬを、その他の一般ユーザに対して広告する。テレビ、ラジオ、通信ネットワーク４で提供されるその他のウェブページ、電子メール、ＣＤ−ＲＯＭなどで広告すればよい。また、アドレスは、文字列で構成されているので、人間が読んで理解することができる。そのため、新聞の折り込みチラシ、雑誌、電車の中刷り、街頭で配るティッシュなどに印刷して、安価に且つ多くの一般ユーザに対して広告することもできる。これらの広告の他に、多数の者に配信する電子メール中に含めて広告するようにしてもよい。
【０１５９】
なお、他の者に配布する広告には、ログインページのＵＲＬの文字列以外に、無料（あるいは一部有料等、特に限定されるものではない）サービス内容も記載するのが好ましい。例えば、画像データ付き電子メールを送信し、所定のユーザ登録を行うと、ホームページ作成および画像の写真プリント（あるいは葉書印刷）などのサービスを無料で提供する等の広告文字列が、当該広告に記載されている。
【０１６０】
上述のＵＲＬを知った携帯端末２の利用者（ユーザ）は、サービスの提供を求めて、広告に記載されたＵＲＬに対してアクセスする。そして、画像データ保存サービスを希望した場合、文字列９３を操作し、当該サービスのユーザ登録を行う。このとき、ユーザ情報が取得されると共に、このＵＲＬからアクセスしてきた者であることが記憶される。これらの情報は、広告データとその携帯端末２のメールアドレスとを対応付けるために利用される。また、どのような広告を当該メールアドレス宛に送信するかの判断に利用される。
【０１６１】
その後、ユーザは、携帯端末２から画像データ付き電子メールを送信する。この画像データ付き電子メールのパケットは、携帯端末２から基地局９へ送られ、基地局９からバックボーンネットワーク１０を経て、プロトコル変換サーバ７でＡＴＭパケットからＴＣＰ／ＩＰパケットに変換されてインターネット８へ送られる。
【０１６２】
サーバ装置１は、この実施の形態ではメールサーバを兼ねており、自分のＩＰアドレスを含むこのパケットを受信する。サーバ装置１の受信手段は、この通信データを読み込み手段へ渡す。読み込み手段は、上述の図９に示したＳＴ１〜ＳＴ６の処理を行う。
【０１６３】
なお、このとき、送信される画像データは、携帯端末２に付属されているカメラ４０を使用して撮影し、メモリー４１（もしくは記録メディア）に記録されている映像（静止画または動画）としても良い。
【０１６４】
広告主専用のＵＲＬを介してユーザ登録したり、そのＵＲＬを開いた後にそのウェブページで画像データ付き電子メールを送信すると、サーバ装置１は、送信元となる携帯端末２に対して、広告主のＵＲＬに対応つけられた広告が割り付けられた広告付き返信電子メール９１を、画像データを受け取った旨のメッセージと共に、返信メールとして返信する。この広告付き返信電子メール９１は、インターネット８経由で携帯端末２に送られる。
【０１６５】
この広告付き返信電子メール９１には、画像データを受け付けた旨のメッセージのほか、ホームページ作成サービス、画像写真プリント、葉書印刷などの無料サービスを行うサービスページへのリンク、および広告データが割り付けられている。なお、返信電子メール１１１の場合には、確認用ホームページのＵＲＬが各広告主専用となる。また、画像確認ホームページ１２１の広告枠１２３に、その広告主の広告と共に、自己のホームページのＵＲＬを記載するようにしても良い。
【０１６６】
このように、携帯端末２のユーザは、画像データ保存サービスや他のサービスを受けるために画像データを電子メールで送信すると、広告付き返信電子メール９１を受信する。この結果、割り付けられた広告を見ると共に、サービスページへのリンクを操作することで、各種サービスページへ接続することができる。
【０１６７】
なお、本実施の形態では、上述したように、携帯端末２が、画像データを電子メールで送信すると、図５に示すような、ログインページに相当する広告付き返信電子メール９１を受信する。しかし、広告データが割り付けられていない画像受け付け確認メール（たとえば、図７に示す返信電子メール１１１）をサーバ装置１から携帯端末２へ送信し、携帯端末２がこの確認メール画面の中の、確認ページのアドレスをリンク先とする部分を操作して呼び出される確認ページ（たとえば、図８に示す画像確認ホームページ１２１）に広告データが割り付けられていても良い。
【０１６８】
なお、各サービスページには、携帯端末２を利用した無料サービスのユーザとしてのユーザ登録を行うためのユーザ登録ページのリンクが割り付けられている。すでにユーザ登録が完了しているユーザは、各サービスページで要求されるＩＤ入力およびパスワード入力作業をすると、ユーザからサーバ装置１側へ各サービスを要求するためのページへアクセスすることができる。
【０１６９】
ユーザ登録が済んでいないユーザは、まず、各サービスページに割り付けられたリンクを操作して、ユーザ登録ページにアクセスし、ユーザ登録を行う。すなわち、ユーザは、入力キー３３を用いて、起動指示を入力する。中央処理装置３４は、ブラウザプログラム３８を実行する。ブラウザ手段は、表示部３２にブラウザウィンドウを表示する。
【０１７０】
ユーザがリンクを操作すると、ブラウザ手段が、このリンク先アドレスを含む通信データのパケットを基地局９へ送信する。すると、このパケットは、基地局９からバックボーンネットワーク１０へ送られる。バックボーンネットワーク１０では、送られてくるパケットにＵＲＬに関する情報があることを認識し、このパケットをプロトコル変換サーバ７へ送信する。プロトコル変換サーバ７は、ＤＳＮサーバと通信し、ユーザ登録ページのＵＲＬに対応するＩＰアドレスを入手する。プロトコル変換サーバ７は、携帯端末２からの通信データと、ＤＳＮサーバとの通信で取得したＩＰアドレスとをパケット化して、インターネット８へ送信する。
【０１７１】
サーバ装置１は、インターネット８を監視しており、送信先に自分のＩＰアドレスが付加されたこのパケットを受信する。そのパケットの通信データにはユーザ登録ページのＵＲＬが含まれているので、サーバ装置１の受信手段は、この通信データを読込手段へ渡す。読込手段は、ユーザ登録ページデータを読み込んで、送信手段においてパケット化された後、サーバ装置１のＮＩＣ５１からインターネット８へ送信される。
【０１７２】
プロトコル変換サーバ７は、インターネット８を監視しており、送信先にデジタル移動通信網５のアドレスが付加されたパケットを受信し、これをＴＣＰ／ＩＰパケットからＡＴＭパケットへ変換して、バックボーンネットワーク１０へ送信する。携帯端末２は、基地局９との無線通信によってバックボーンネットワーク１０に送られてくる自分宛のパケットを受信する。ブラウザ手段は、このパケットに含まれるユーザ登録ページデータ８３を、ブラウザウィンドウ内のページ表示部に表示する。
【０１７３】
なお、携帯端末２から各サービスページへサービスを要求する場合も、パケットの送受信に関しては、上述のユーザ登録に関するデータの送受信と同様である。
【０１７４】
以上のように、広告配信システムが構成されることで、広告主には、以下のメリットがある。
【０１７５】
第一に、自己の広告がプッシュ型でもなくプル型でもない状態、すなわち、送られてきた電子メールに対する返信メールについてくる形でユーザに表示されるので、広告効果がきわめて高くなる。すなわち、広告付き返信電子メールには、サイトが提供するサービスのリストが含まれている。したがって、広告主は、高度なサイト運営知識などを備えていなくとも、高い付加価値を有する広告ウェブページへ、携帯端末２のユーザを容易に誘導することができる。これにより、一般ユーザは、広告自体には興味が無くとも、サービスを受けるために、積極的に画像データ付き電子メールを送信し、確認返信メールとして広告データを受け取る。その結果、単に商品やサービスを販売する広告ウェブページをバナー広告のクリックで呼び出す場合に比べて、より多くの一般ユーザに頻繁に広告を閲覧してもらうことができる。
【０１７６】
第二に、ドメインを取得したりしなくても、自分専用のアドレスが割り当てられた広告ウェブページ（広告付きログインページ）を持つことができる。しかも、その広告ウェブページを、広告枠提供サービスを利用して手軽に作成することができる。また、自分専用の広告用のＵＲＬを持つことを希望しない場合においても、返信電子メールについてくる形で広告を行うことができる。
【０１７７】
第三に、広告付き返信電子メールは、一般ユーザが、画像データ付き電子メールを送信する毎に、その一般ユーザに対して送信される。これにより、広告内容のすりこみ効果を期待することができる。その結果、広告を一度見ただけでは商品やサービスに対して興味を持たなかった一般ユーザに対しても、二度、三度と広告付き返信電子メールを送信している内に、その商品やサービスに対して興味を抱かせ、これを購入させることができる。したがって、自分が運営する販売サイトが散発的にバナー広告によって表示される場合等、従来のプル型やプッシュ型の広告に比べて、広告効果をより期待することができ、商品やサービスの販売成約率を格段に向上させることができる。
【０１７８】
第四に、広告データは、広告主のメールアドレスと対応して記憶されている。したがって、広告主が広告データの中身を変更しない限り、一般ユーザが広告付き返信電子メールを受信するときには必ず同一の広告が表示される。つまり、広告主は、その一般ユーザに対して、繰り返し行われるスポット広告の効果を期待することができる。
【０１７９】
第五に、送信元の電子メールアドレスは、広告データと対応して記憶されている。したがって、広告主が広告データの中身を変更しない限り、一般ユーザがサイトにアクセスするときには必ず同一の広告が表示される。つまり、広告主は、その一般ユーザに対して、繰り返し行われるスポット広告の効果を期待することができる。また、返信電子メール等や広告ウェブページには、サービスのリストも表示される。したがって、一般ユーザは、そのサービスを利用するために、何度も広告主のホームページのＵＲＬを視認することとなると共に、何度も広告ウェブページを閲覧する。これにより、広告内容のすりこみ効果を期待することができる。その結果、広告を一度見ただけでは商品やサービスに対して興味を持たなかった一般ユーザに対しても、二度、三度とサイトにアクセスしている内に、その商品やサービスに対して興味を抱かせ、これを購入させることができる。したがって、狭い広告枠に、自分が運営する販売サイトのバナー広告が散発的に表示される場合等、従来のプル型やプッシュ型の広告に比べて、高い広告効果を期待することができ、商品やサービスの販売成約率を格段に向上させることができる。
【０１８０】
以上のように、この実施の形態に係る広告配信システムは、プル型の広告や、スパムメール等のプッシュ型の広告や、狭い広告枠に自分が運営する販売サイトのバナー広告が散発的に表示される場合に比べて、商品やサービスの販売成約率を格段に向上させることができる。
【０１８１】
また、以上のように広告配信システムが構成されることで、サーバ装置１を運営するサイト運営者には、以下のメリットがある。
【０１８２】
第一に、広告枠９９，１２３を、広告主へ販売することや広告用のホームページを広告主に提供することで、サーバ装置１を運営する資金を獲得することができる。また、自分で大量の一般ユーザを集めることなく、広告主に対して魅力的な、付加サービス付きの、広告枠や広告ウェブページを販売することができる。その結果、大量の一般ユーザを集めるために過剰な設備投資を事前にすることなく、且つ、他のサービスと特別に変わらないようなサービスを提供するだけであっても、広告主を集めて、投資した資金を回収することができる。それゆえ、インターネットなどの通信ネットワーク４において、多種多様なサービスが既に提供されている状況下であったとしても、低リスクで新規に参入し、サイトを運営することができる。
【０１８３】
第二に、広告付き返信電子メールに広告枠を設けたり、広告付きログインページを提供することで、広告主が開拓した一般ユーザに対して、自己の広告などの別の広告を提供することができる。また、広告主が広告データを削除した場合には、その電子メールアドレス等の情報が無形資産として残る。そのため、そのアドレスを使用してアクセスしてきた一般ユーザに対して、さらに自己の広告を含めた別の広告を提供することができる。これらの広告枠を利用することで、有効に広告を提供することができる。
【０１８４】
特に、広告データに対応付けられた一般ユーザは、広告主が広告をして集めたユーザである。この一般ユーザには、広告主に応じて共通する嗜好性を有する。また、ユーザデータベース６３には、各一般ユーザの情報が登録される。これらの情報に基づいて、各一般ユーザに対する別の広告データを制御することで、サイト運営者は、成約率が高い広告枠を確保することができる。
【０１８５】
第三に、ログインページデータ８１のリストには、「広告枠提供サービス」の文字列が含まれている。そのため、広告主が集めた一般ユーザは、この広告枠提供サービスを利用して、新たな広告主となる。これにより、サイト運営者は、自身が提供するサイトで広告ができることを広告しなくても、連鎖的に広告主を集めることができる。これにより、低リスクで高収益のサイトを運営することができる。
【０１８６】
なお、上述の実施の形態は、本発明の好適な実施の形態の例であるが、これに限定されるものではなく、本発明の要旨を逸脱しない範囲において種々変形実施可能である。例えば、上述の実施の形態では、広告付きのウェブページである広告主の広告用ホームページの作成を広告枠提供サービスの一環として行っているが、ホームページ作成サービスの中で行うようにしても良い。また、画像付きの電子メールを送るアドレスを各広告主に対応するものとするようにしても良い。このようにすると、メールのアドレスのみでどの広告データを返信メールに付加すべきかの分類が容易となる。また、広告枠９９，１２３中には、１社のみではなく２社以上の広告が割り当てられるようにしても良い。
【０１８７】
また、上述の実施の形態では、広告データが電子メールアドレスに対応付けて記憶されているが、各装置に付与されるＩＤ（固有のＩＰアドレス等）に対応つけて広告データが記憶されるようにしても良い。また、電子メールアドレスやＩＰアドレス以外のアドレスを使用するようにしても良い。
【０１８８】
【発明の効果】
本発明では、自分が運営する販売サイトのバナー広告が表示される場合等のプル型の広告やスパムメール等のプッシュ型の広告に比べて、高い広告効果を期待することができる。
【図面の簡単な説明】
【図１】本発明の実施の形態に係る広告配信システムを示すシステム構成図である。
【図２】図１中の広告主端末を示す端末構成図である。
【図３】図１中の携帯端末を示す端末構成図である。
【図４】図１中のサーバ装置を示すサーバ構成図である。
【図５】図１の広告配信システムで使用される携帯端末または広告主端末の表示部に表示される広告付き返信電子メールの画面の一例を示す図である。
【図６】図１の広告配信システムで使用される携帯端末または広告主端末の表示部に表示される送信済みの画像データを確認するための画面の一例を示す図である。
【図７】図１の広告配信システムで使用される携帯端末または広告主端末の表示部に表示される返信電子メールの画面の一例を示す図である。
【図８】図１の広告配信システムで使用される携帯端末または広告主端末の表示部に表示される画像確認ホームページの画面の一例を示す画面である。
【図９】図１の広告配信システムに使用される携帯端末から送られるデータにアドレスが含まれている場合に、サーバ装置の中央処理装置が実行する処理手順を示すフローチャートである。
【図１０】図１の広告配信システムに使用される携帯端末から送られる通信データがＵＲＬなどの電子メールアドレス以外のアドレスである場合に、サーバ装置の中央処理装置が実行する処理手順を示すフローチャートである。
【図１１】図１の広告配信システムに使用される携帯端末から送られる通信データがユーザ登録データである場合に、サーバ装置の中央処理装置が実行する処理手順を示すフローチャートである。
【図１２】図１の広告配信システムに使用される携帯端末から送られる通信データが広告登録データである場合に、サーバ装置の中央処理装置が実行する処理手順を示すフローチャートである。
【図１３】図１の広告配信システムに使用される携帯端末から送られる通信データがサービスデータである場合に、サーバ装置の中央処理装置が実行する処理手順を示すフローチャートである。
【符号の説明】
１  サーバ装置
２  携帯端末
３  広告主端末
４  通信ネットワーク
５４  中央処理装置（受信手段の一部、抽出手段の一部、読込手段の一部、生成手段の一部、送信手段の一部、）
５６  記憶部材
６２  広告データベース
６６  受信プログラム（受信手段の一部）
６７  読込プログラム（抽出手段の一部、読込手段の一部、生成手段の一部）
６８  送信プログラム（送信手段の一部）
７２  広告付き返信電子メール作成プログラム（生成手段の一部）
【図１】
2004287880.tif 000003
【図２】
2004287880.tif 000004
【図３】
2004287880.tif 000005
【図４】
2004287880.tif 000006
【図５】
2004287880.tif 000007
【図６】
2004287880.tif 000008
【図７】
2004287880.tif 000009
【図８】
2004287880.tif 000010
【図９】
2004287880.tif 000011
【図１０】
2004287880.tif 000012
【図１１】
2004287880.tif 000013
【図１２】
2004287880.tif 000014
【図１３】
2004287880.tif 000015